(57)【特許請求の範囲】
【請求項１】
光ベースの皮膚治療処置を処置領域に提供する光線治療システムにおいて、
第１の織物層（８２）と；
前記第１の織物層（８２）に取り付けられたバッテリパック（７２）と；
複数の治療用ランプと；
複数の開口部（８０）を有する発泡体層（９２）及び反射層（９４）と；
を具え、
前記複数の治療用ランプは複数のＬＥＤストリップ（９０）を含み、
前記複数のＬＥＤストリップ（９０）は、前記ＬＥＤが前記開口部(８０)と位置合わせされ、前記ＬＥＤが取り付けられている前記発泡体層（９２）及び反射層（９４）の反対面に対して陥没するように前記発泡体層（９２）及び反射層（９４）に取り付けられており、
前記ＬＥＤは、前記開口部（８０）を通して放射エネルギを治療領域に伝達させるものであり、前記発泡体層（９２）及び反射層（９４）並びにＬＥＤストリップ（９０）は非常に柔軟であることを特徴とする光線治療システム。
【請求項２】
請求項１に記載のシステムにおいて、前記発泡体層（９２）及び反射層（９４）が、遮熱材およびスペーサを含むことを特徴とするシステム。
【請求項３】
請求項２に記載のシステムにおいて、前記遮熱材が、光反射性であることを特徴とするシステム。
【請求項４】
請求項１乃至３の何れか１項に記載のシステムが、さらにコントローラ（７４）を含むことを特徴とするシステム。
【請求項５】
請求項１乃至４の何れか１項に記載のシステムにおいて、第２の織物層（９６）が前記発泡体層（９２）及び反射層（９４）に取り付けられていることを特徴とするシステム。
【請求項６】
請求項５に記載のシステムにおいて、前記反射層（９４）が、前記ランプの放射エネルギを反射するのに適した柔軟な金属箔を含むことを特徴とするシステム。
【請求項７】
請求項１乃至６の何れか１項に記載のシステムにおいて、前記発泡体層（９２）及び反射層（９４）が、薄いメッシュ（９８）を有する前記第２の織物層（９６）によって覆われていることを特徴とするシステム。
【発明の詳細な説明】
【技術分野】
【０００１】
この出願は、２０１３年３月１５日に出願された米国特許出願第６１／７９１，７３８号および２０１４年３月１４日に出願された米国特許出願第１４／２１２，６０１号の優先権を主張し、これらの出願各々の開示全体は、参照によって本明細書で本出願へ明確に組み込まれるものとする。
【０００２】
参照による援用
「光治療プラットフォームシステム」は、２０１３年３月１４日に、Ｔａｐｐｅｒらによる米国特許公開第２０１３−００６６４０４Ａ１号であって、その開示はその全体の参照によって本明細書に組み込まれるものとする。
【０００３】
本実施例は、他の種類の光放射源が使用されてもよいが、発光ダイオード（ＬＥＤ）の光治療を用いて皮膚の健康を増進し、および／または、皮下組織を回復させる、光ベースの皮膚治療を提供する装置および方法に関するものである。
【背景技術】
【０００４】
（青または赤の）ＬＥＤから放出される特定の光スペクトルは、創傷治療や筋肉または他の皮下組織の痛みの回復に良好に作用し有益となる皮膚治療となりうることが知られている。しかしながら、異なるサイズおよび形状に適合するような調節性または柔軟性があり、使用者の不快感が無く簡単に使用できる着用可能な包帯といった、便利な自宅用の光治療装置を使用者や患者へ提供する必要性がある。その代わりは、治療を受けるために医師のオフィスを訪問することである。
【０００５】
公知の光治療装置は、ＬＥＤおよび当該ＬＥＤに電力供給する付属回路が露出しており、使用者に接触することに関する問題を抱えている。より具体的には、患者へ与える光を最大にするために、ＬＥＤが物理的に患者に接触する（例えば、当接する）ことができるくらいに、または治療面に触れさえもするようにＬＥＤが配置されているので、治療がごみや脂の蓄積をもたらし、その結果ＬＥＤを消耗させてしまう。また、このような接触は何れも、鋭く熱いＬＥＤまたは関連回路のエッジに触れる患者に危険である。この精密な回路に触れることは、脅威的で不愉快な体験である。
【０００６】
公知の装置の別の問題は、ＬＥＤの配置が固定されていて、傷の位置、サイズまたは形により対応するよう、または痛い部分に対して適切に配置されるように調節できないことである。このような装置のＬＥＤは、１つの傷のうち特に痛い部分へ近づくような多様なパターンで選択的に配置されることは不可能である。
【０００７】
簡単で簡便な使用を維持すると同時に、露光における治療効率が最大となるように光治療の利点を用いる手段の提供が望まれている。従って、軽量、柔軟で、調節可能な多様な実施例が、使用者の状態または必要に応じて変化するエネルギの多様な応用例を含み、本開示内で開示される。
【発明の概要】
【０００８】
本実施例は、多層構造を有するアセンブリ内に配置されるＬＥＤのような放射ランプを治療用ランププラットフォームとする光線治療システムおよび装置を具え、ここでＬＥＤは患者との接触から守られている。
【０００９】
本実施例は、サイズまたは状態の何れかに基づき使用者の受容面に適合できる光ベースの治療を提供する調節可能な／柔軟性のあるプラットフォームを具え、この光治療は、光の種類に制限されず、治療の最終目的、例えば美容、健康、鎮痛および／または創傷治癒に制限されずに使用され得る。パルス光（ＩＰＬ）、収束光（レーザ）および光エネルギを操作する他の方法が、本実施例内に含まれる。他の光放射方法は、持続的、パルス状、収束、拡散、多重波長、単一波長、可視光線および／または非可視光線を含んでもよい。
【００１０】
本実施例は、所望する治療部位の多様性に適合するよう調節可能な、ＬＥＤ電球またはＬＥＤストリップから放射されるＬＥＤ光を具える、加工し／適合した包帯の形態を示す。
【００１１】
本開示は、改良された有用性と光分散を供する十分にフレキシブルで調節可能なＬＥＤ装置を開示する。この装置は、最終使用者である患者の治療部位（例えば皮膚）へのランプの放射を効率的に高めるためのスペーサおよび絶縁層を含む光治療包帯システムを具える。ランプは、ランプと接触する可能性から使用者を保護するために、絶縁層に埋め込まれ、さらに薄いメッシュ層に覆われる。
【図面の簡単な説明】
【００１２】
【図１Ａ】図１Ａは、腰装具を具える治療用ランププラットフォームの一実施例の平面図である。
【図１Ｂ】図１Ｂは、図１Ａの装置の逆の平面図である。
【図２】図２は、図１Ａおよび１Ｂの装置の分解図である。
【図３】図３は、患者上にある図１Ａおよび１Ｂの装置の斜視図である。
【図４Ａ】図４Ａは、膝装具を含む別の実施例の斜視図である。
【図４Ｂ】図４Ｂは４Ａの装置の別の図である。
【図４Ｃ】図４Ｃは４Ａの装置の別の図である。
【図４Ｄ】図４Ｄは４Ａの装置の別の図である。
【図５】図５は、図４Ａの装置の分解斜視図である。
【図６】図６は、膝装具の別の実施例である。
【図７】図７は、図６の装置の分解図である。
【図８】図８は、膝装具の別の実施例である。
【図９】図９は、膝装具の別の実施例である。
【図１０】図１０は、主題の包帯システムの一実施例の上からの斜視図である。
【図１１】図１１は図１０の装置の底面図である。
【図１２】図１２は図１０の装置の分解図である。
【発明を実施するための形態】
【００１３】
この主題の実施例は、方法および装置を含む光線治療システムに関し、好適には、装置内に治療用ランプに電力を供給する取り外し可能で、運搬できるバッテリパックを有する着用可能な装置を含んでいる。この主題の装置は、本明細書においてプラットフォームおよび中のランプが使用中に人へ触れないように使用者に対して適切に配置可能である光プラットフォームを含む複数の利益を示す。すなわち、装置の構造上の構成部品は、使用者上でランププラットフォームを支持するだけでなく、使用者の治療部位に対してランプを適切に配置するためのガイドとしても機能する。ランプは、より患者の治療面に近い内部反射面に対し、かつ患者の治療面に面して埋め込まれているため、装置の構造アセンブリは、鋭いまたは熱い面が患者に当たるのを防いでいる。ランプに電力を送るための回路部品も、柔軟な壁構造体の中に含まれている。壁の開口部またはメッシュを通して照らされる治療光は使用者に伝達されるが、ランプおよび回路は、層状の壁構造体の中で効果的に覆われている。このため、所望の治療処置用に適切に配置された面が使用者に提供され、さらに、通気性が改善されて、使用者に美観を損なわない好ましい装置の面が提供され、使用者の不快感を最低限にする。他の利点は、使用者に取り付けると例えば使用者の背中や膝などの治療面に合うように形をなす包帯形態の装置の調節機能に関する。アセンブリ全体が、使用者が容易かつ快適に使用するために、意図的に比較的軽量であって最小化した構成部品から構成される。
【００１４】
より具体的には、図１Ａ、１Ｂおよび２を参照すると、主題の実施例は、図３に示すような患者／使用者によって着用される腰装具１０を好適に具える。この装具１０は、装具の終端部でホックとループ式の固定織物によって使用者に貼られ、支持されることができる。このような装具は、一般的に患者に面する面と反対側の装具１０の外側に、背中下部および臀部のためのヒートラップを含む。包帯のＬＥＤプラットフォームは、遮熱性および／または熱反射性の支持層１６の上にＬＥＤストリップ１４が取り付けられている弾性部材１２を含む。層１６が、弾性部材１２と同様に柔軟性および伸縮性を有することが重要である。ＬＥＤをバッテリパック２０へ連結しているワイヤは、ＬＥＤストリップ間の寸法が余分な長さを有することに留意されたい。電力は、バッテリポーチ２２に収容されたバッテリパック２０により供給される。ＬＥＤ光１４は、メッシュ生地からストリップが一体化されている成型可能な材料の柔軟なシートまで延在しうる絶縁層２４によって、直接的な患者への接触から隔てられている。
【００１５】
ある実施例では、メッシュ生地は、反射せずに患者までランプの放射エネルギを伝達してもよい。
【００１６】
他の実施例では、柔軟で形成可能な材料２４は、光を通す窓として機能する開口部（図示せず）を有し、それ以外は光反射面である。この実施例では、ＬＥＤは患者から効果的に隠れており、ここで層２４は患者がＬＥＤチップおよび関連回路を当然確認することが可能なメッシュ生地である。
【００１７】
主題のシステムは、光の強度、周波数または方向を変化させる制御システムも含むことができる。携帯可能なバッテリパックが含まれる。
【００１８】
主題となる調整機能は、柔軟性と調節機能を改善するための調節できるエネルギ出力、調節できる波長、優先帯域、タイマ等の形をなす、「高性能（ｓｍａｒｔ）」な処理およびセンサシステムを通して実行されてもよい。センサシステムのセンサは、優先帯域で多少のエネルギを利用して、主題の実施例に、治療部位を評価し高度な治療を計画する機能を実現させることができる。主題の実施例は、膝や背中といった体の治療部位、皮膚の種類、年齢、疾患の全体的な重傷度の観点において高性能であり、それに合うように治療をカスタマイズする能力を有する。
【００１９】
また別の実施例では、ランプは、形成可能な材料でできた柔軟なシートに埋め込まれ、シート材料内のストリップとして一体化し形成される。
【００２０】
図４Ａ、図４Ｂ、図４Ｃ、図４Ｄおよび、図５を参照すると、ＬＥＤ包帯は、ＬＥＤストリップが菱形に配置されており、弾性の包帯は、足から膝部分に亘って覆う単一のスリーブとして形成される。装具の多構造層は、図５に示されており、弾性の包帯プラットフォーム５０と、緊急ブランケット材料５４で構成されうる第１層関連材料と、ＬＥＤ光ストリップ５２と、ストリップ５２を覆うための表面層５６とを具える。
【００２１】
図６および図７を参照すると、膝装具の別の代替的な実施例は、弾性の包帯が、再び図６で示されるように、患者の膝頭に菱形で膝に巻き付けられ、図７に示されるような多層構造を含む。
【００２２】
図８および図９は、図７に示されるのと同様の多層構造を含んだ巻き付け膝装具としても機能できる他の実施例を示す。
【００２３】
他の実施例において、ストリップパターンは、望ましい患部の治療により良く適合させるため、図示されるように異なる位置に配置されることができる。例えば、ストリップは、等しく隔てられるのではなく、一つのグループか複数のグループにまとめることができる。何れの場合も、包帯材料は、ストリップを選択的に移動させて材料の異なる位置に固定できる材料で構成される。フックとループ式の固定織物で、目的とする構造を実現することができる。
【００２４】
図１０と１１は、他の実施例を示し、バッテリエネルギ源が、バッテリシュラウド７２に納められ、コントローラ７４とともに第１の織物層７６上で受け取られている。図１０は、使用者の治療部位（図示せず）から離れた装置の上層を示す。図１１は、図１０の装置の底面を示し、治療放射ランプは、複数のスペーサ窓の開口部８０を通って治療部位に作用する。
【００２５】
図１２は、装置の構成要素をより明確に示している。バッテリパック７２とコントローラ７４は何れも、バックル８４とバックルレシーバ８６のアセンブリで受けるストラップ（図示せず）を通して患者の治療部位に固定することができる第１の織物層８２と、機械的結合または熱結合されている。治療用ランプは、好適には、ＬＥＤが窓８０に整列するように、発泡層９２および反射層９４に取り付けられた複数のＬＥＤストリップ９０を含む。ＬＥＤストリップ９０への電力は、ワイヤ（図示せず）を介しバッテリ７０から供給される。発泡層９２および反射層９４は、遮熱材およびスペーサからなり、このためＬＥＤストリップ９０は、層９２のそれらが取り付けられるのとは反対の面に対して埋め込まれている。ストリップ９０と発泡層９２は、一実施例では装置から装置へ選択的に取り外し可能で交換可能なサブアセンブリを形成する。層９２は、ストリップ９０と同様に柔軟性が高く、ストリップ９０と層９２のサブアセンブリは、非平面的な治療部位を適切かつ快適に覆うよう一致する装置を提供する全体的な目的のため、ストリップの間の領域に一致する複数の方向に対して柔軟であることが好ましい。層９２は、ＬＥＤストリップ９０のランプが、反射層９４が取り付けられている層９２の平面を壊さないような大きさである。反射層９４は、好適にはランプの放射エネルギを反射するのに適したいくつかの種類の柔軟な金属箔を具える。第２の織物層９６が、ランプの放射を最小の妨害で治療部位に伝える薄いメッシュ９８によって発泡層９２および反射層９４を覆っている。治療部位の治療処置のために発泡層９２および反射層９４を通して伝達されるＬＥＤストリップ９０のランプからの放射エネルギが円錐状に複数拡大するといった効果が得られる。
【００２６】
コントローラ７４は、いくつかの方法で使用者に装置の操作形態を伝えるためのものである。使用者がスイッチをオンにすると、光またはビープ音を発するようなインジケータが、使用者に装置が作動していることを知らせる。コントローラは、１０分または１５分といった規定の制限の作動時間を測定する。また、コントローラは、コントローラ表示を通して使用者に実行されたセッションの回数表示を示すため、また、セッションが多数生じた後に治療用放射エネルギを発生するＬＥＤの効率性が著しく低下したために装置を使用すべきでなくなったら装置を停止するため、使用またはサイクルセッションを測定している。コントローラは、セッションがタイムアウトした後か、代わりに使用者へ別のビープ音を送った後にインジケータ光を解除する。代替的に、インジケータは、バッテリ寿命またはランプの不具合の表示に供することも可能である。
【００２７】
好適に、上記に開示された変更および他の特徴および機能、または代替物は、他の多くの異なるシステムまたは用途と組合わせることができる。本明細書において予期しないまたは不測の様々な代替物、改変、変化または改良が当業者によって後に行われてもよく、それらは以降の請求項に包含されるべきである。
【図１Ａ】
0006585028.tif 000002
【図１Ｂ】
0006585028.tif 000003
【図２】
0006585028.tif 000004
【図３】
0006585028.tif 000005
【図４Ａ】
0006585028.tif 000006
【図４Ｂ】
0006585028.tif 000007
【図４Ｃ】
0006585028.tif 000008
【図４Ｄ】
0006585028.tif 000009
【図５】
0006585028.tif 000010
【図６】
0006585028.tif 000011
【図７】
0006585028.tif 000012
【図８】
0006585028.tif 000013
【図９】
0006585028.tif 000014
【図１０】
0006585028.tif 000015
【図１１】
0006585028.tif 000016
【図１２】
0006585028.tif 000017